(57)【要約】【課題】固定部位と物品とを連結するワイヤを備えた盗難防止装置において、防犯性能のさらなる向上を実現する。【解決手段】固定部位と物品Ａとを連結する装置であって、一往復の導電部材３，５を内蔵したワイヤ１と、導電部材３，５による通電が遮断されるのに伴ってブザー１１を作動させる電気制御回路１０を備え、往路及び復路の導電部材３，５の少なくとも一方が、切断に対する強化材料から成る盗難防止装置とし、ワイヤ１の切断を困難にする機能と、ワイヤ１が切断された場合にブザー１１を作動させる機能とを備えて、防犯性能を大幅に向上させた。【選択図】図１
2010020687.tif 000002
【特許請求の範囲】
【請求項１】
展示台等の固定部位と展示物等の物品とを連結して物品の盗難を防止するための装置であって、物品連結側で折り返す一往復の導電部材を内蔵したワイヤと、導電部材による通電が遮断されるのに伴って警報手段を作動させる電気制御回路を備え、往路導電部材及び復路導電部材の少なくとも一方が、切断に対する強化材料から成ることを特徴とする盗難防止装置。
【請求項２】
往路導電部材及び復路導電部材のいずれか一方が、多数の素線を撚り合わせて成る内側導電部材であると共に、他方が、内側導電部材の外側に絶縁体を介して設けた外側導電部材であることを特徴とする請求項１に記載の盗難防止装置。
【請求項３】
警報手段が、警報音発生装置及び警報灯の少なくとも一方であることを特徴とする請求項１又は２に記載の盗難防止装置。
【請求項４】
電気制御回路を含む本体部とこれに連結するワイヤの基端部に、互いに着脱可能なコネクタを設けたことを特徴とする請求項１〜３のいずれか１項に記載の盗難防止装置。
【発明の詳細な説明】
【技術分野】
【０００１】
本発明は、展示台等の固定部位と展示品等の物品とを連結して物品の盗難防止に用いる盗難防止装置に関するものである。
【背景技術】
【０００２】
一般に、家電製品などを取り扱う商店においては、消費者が商品を自由に操作できるように見本商品を用意していることが多く、とくに携帯電話やカメラ等の比較的小型の見本商品に対しては、その盗難を防止するために、適当な固定部位と見本商品とをワイヤで連結するといった対策をとっている（例えば、特許文献１参照）。
【特許文献１】特開２００４−２４８７７８号公報
【発明の開示】
【発明が解決しようとする課題】
【０００３】
しかしながら、近年では、固定部位と見本商品とをワイヤで連結していても、そのワイヤを切断して見本商品を持ち去るという不正行為が少なくないのも事実であることから、盗難防止装置の防犯性能のさらなる向上が望まれていた。
【課題を解決するための手段】
【０００４】
本発明は、上記従来の状況に鑑みて成されたもので、固定部位と物品とを連結するワイヤを備えた盗難防止装置において、防犯性能の向上を実現することを目的としている。
【０００５】
そして、本発明の盗難防止装置は、請求項１として、展示台等の固定部位と展示物等の物品とを連結して物品の盗難を防止するための装置であって、物品連結側で折り返す一往復の導電部材を内蔵したワイヤと、導電部材による通電が遮断されるのに伴って警報手段を作動させる電気制御回路を備え、往路導電部材及び復路導電部材の少なくとも一方が、切断に対する強化材料から成る構成としており、上記構成をもって従来の課題を解決するための手段としている。
【０００６】
また、本発明の盗難防止装置は、請求項２として、往路導電部材及び復路導電部材のいずれか一方が、多数の素線を撚り合わせて成る内側導電部材であると共に、他方が、内側導電部材の外側に絶縁体を介して設けた外側導電部材であることを特徴とし、請求項３として、警報手段が、警報音発生装置及び警報灯の少なくとも一方であることを特徴とし、請求項４として、電気制御回路を含む本体部とこれに連結するワイヤの基端部に、互いに着脱可能なコネクタを設けたことを特徴としている。
【発明の効果】
【０００７】
本発明の請求項１に係わる盗難防止装置によれば、ワイヤに内蔵した往路導電部材及び復路導電部材の少なくとも一方を切断に対する強化材料としたことから、当該ワイヤが容易に切断されるのを防止することができ、また、ワイヤが切断された場合には、電気制御回路により、導電部材の通電遮断に伴って警報手段を作動させることで、ワイヤの切断を知らせることができる。つまり、ワイヤの切断を困難にする機能と、ワイヤが切断された場合に警報を発する機能とを有するものとなり、このような二段構えの機能により防犯性能を大幅に高めることができる。
【０００８】
本発明の請求項２に係わる盗難防止装置によれば、請求項１と同様の効果を得ることができるうえに、多数の素線を撚り合わせて成る内側導電部材と、内側導電部材の外側に絶縁体を介して設けた外側導電部材を採用したことから、ワイヤにおいて、切断に対する強度を確保したうえで充分な可撓性を得ることができ、見本商品等の物品を連結した場合に、ワイヤが邪魔にならずに物品の取扱いを容易に行うことができる。
【０００９】
本発明の請求項３に係わる盗難防止装置によれば、請求項１及び２と同様の効果を得ることができるうえに、警報手段として警報音発生装置及び警報灯の少なくとも一方を採用したことから、警報音や灯光により、ワイヤの切断を容易に且つ迅速に知らせることができる。
【００１０】
本発明の請求項４に係わる盗難防止装置によれば、請求項１〜３と同様の効果を得ることができるうえに、電気制御回路を含む本体部とこれに連結するワイヤの基端部に、互いに着脱可能なコネクタを設けたことにより、ワイヤのみの交換が可能であり、低コスト化などに貢献することができる。
【実施例】
【００１１】
図１及び図２は、本発明に係わる盗難防止装置の一実施例を説明する図である。
図１（ａ）及び図２に示す盗難防止装置は、展示台等の固定部位Ｆと展示部等の物品Ａを連結して物品Ａの盗難防止を図るものであって、概略として、先端部に物品Ａを連結するワイヤ１と、固定部位Ｆに固定する本体部２を備えている。
【００１２】
ワイヤ１は、物品連結側（先端側）で折り返す一往復の導電部材を内蔵しており、往路導電部材及び復路導電部材の少なくとも一方が、切断に対する強化材料で形成してある。より具体的に説明すると、ワイヤ１は、図１（ｂ）（ｃ）に示すように、多数の素線を撚り合わせて成る内側導電部材３と、内側導電部材３を被覆するチューブ状の樹脂製絶縁体４と、樹脂製絶縁体４の外側に巻き付けた状態で設けた外側導電部材５と、外側導電部材５を被覆する樹脂製シース６を備えている。このワイヤ１の直径は、とくに限定されるものではないが、例えば２〜３ｍｍ程度である。
【００１３】
ここで、この実施例では、内側導電部材３を往路導電部材とし、外側導電部材５を復路導電部材とすると共に、内側導電部材（往路導電部材）３が、切断に対する強化材料から成るものとしている。なお、当然のことながら、上記構成と逆に、内側導電部材３を復路導電部材とし、外側導電部材５を往路導電部材としても良い。
【００１４】
内側導電部材３は、切断に対する強化部材として、複数のステンレス製の素線（細線）を撚り合わせて素線束３ａを形成し、さらに、複数（図示例では七本）の素線束３ａを撚り合わせた構造になっている。他方、外側導電部材５は、周知の導電線と同様に、多数の細い銅線を撚り合わせた構造である。そして、内側導電部材３と外側導電部材５は、ワイヤ１の長手方向にわたって樹脂製絶縁体４で互いに隔離されると共に、ワイヤ１の先端部で接続して一往復の通電経路を形成している。
【００１５】
また、ワイヤ１は、先端部に、適宜の連結具７が充分な強度で固定してあり、この連結具７により物品Ａを容易に外れないように連結すると共に、基端部には、内側導電部材３及び外側導電部材５の各端子を有するワイヤ側コネクタ８が設けてあり、このワイヤ側コネクタ８を本体部２に接続する。
【００１６】
本体部２は、例えば図２に示すようなケース９によってコンパクトな外観に形成してあり、ケース９内に、内側及び外側の導電部材３，５による通電が遮断されるのに伴って警報手段を作動させる電気制御回路１０を備えている。この実施例の警報手段は、警報音発生装置の一例であるブザー１１であり、ケース９に収容してある。その他の警報手段としては、警報音発生装置であるベルや警報灯１２があり、図示の如くブザー１１と警報灯１２を併用することができる。
【００１７】
電気制御回路１０は、電源１３の外部コネクタ１４を接続する内部コネクタ１５と、内部コネクタ１５及び抵抗１６を介して電源供給される本体部側コネクタ１７と、同じく内部コネクタ１５を介して電源供給される先のブザー１１を備え、ブザー１１と負極との間には、ゲートに抵抗１６を接続した電界効果型トランジスタ１８が設けてある。また、警報灯１２を併用する場合は、ブザー１１に警報灯１２を並列に接続する。そして、本体部側コネクタ１７にワイヤ１のワイヤ側コネクタ８を接続し、内側及び外側の導電部材３，５に通電を行う。
【００１８】
ここで、当該盗難防止装置は、例えば９Ｖの電圧で作動させることができ、この場合、ワイヤ１の導電部材３，５に常時通電することによる待機電流は２〜５μＡ程度の微弱なものである。また、ワイヤ１と電気制御回路１０を含む本体部２とは、ワイヤ側及び本体部側のコネクタ８，１７によって互いに着脱可能に接続されるのであるが、この際、本体部２からワイヤ１が容易に引き抜かれることがないように、ねじ類を用いてワイヤ側コネクタ８を本体部２側に固定し、さらに、その固定部位が外部に露出しない構造とすることで防犯性がより高められる。
【００１９】
上記の構成を備えた盗難防止装置は、ワイヤ１に内蔵した内側導電部材（往路導電部材）３が、切断に対する強化材料としてのステンレス製であり、しかも、ステンレス製の多数の素線を撚り合わせて成るものとしたので、ワイヤ１が容易に切断されるのを防止し得るものとなる。
【００２０】
また、多数の素線を撚り合わせて成る内側導電部材３と、その外側に絶縁体４を介して巻き付けた状態で設けた外側導電部材５を採用したことで、ワイヤ１には充分な可撓性が得られることとなり、例えば見本商品等の物品Ａを連結した場合に、ワイヤ１が邪魔にならずに物品Ａの取扱いを容易に行い得るものとなる。
【００２１】
さらに、盗難防止装置は、ワイヤ１が切断された場合には、電気制御回路１０により、両導電部材３，５の通電遮断に伴って警報手段（１１，１２）を作動させることで、ワイヤ１の切断を知らせることができる。
【００２２】
すなわち、電気制御回路１０では、ワイヤ１に内蔵した内側及び外側の導電部材３，５に常時通電が成されており、この際、ブザー１１には電源供給が行われない。そして、ワイヤ１が切断され、内側及び外側の導電部材３，５による通電が遮断されると、電界効果型トランジスタ１８の働きで警報手段（１１，１２）に電源供給が開始され、警報手段（１１，１２）が作動する。これにより、警報音や灯光によりワイヤ１の切断を容易に且つ迅速に知らせることができる。
【００２３】
このように、盗難防止装置は、ワイヤ１の切断を困難にする機能と、ワイヤ１が切断された場合に警報を発する機能とを有するものとなり、このような二段構えの機能により防犯性能が大幅に高められたものとなる。また、本体部２とこれに連結するワイヤ１の基端部に、互いに着脱可能なコネクタ８，１７を設けているので、仮にワイヤ１を破損した場合などには、ワイヤ１のみの交換が可能である。
【００２４】
図３は、本発明に係わる盗難防止装置の他の実施例を説明する図である。なお、先の実施例と同一の構成部位は、同一符号を付して詳細な説明を省略する。
【００２５】
図示の盗難防止装置は、本体部２内にワイヤ１の巻取り機構２１を備えている。この場合、ワイヤ側及び本体部側のコネクタ（図１の符号８，１７参照）は無く、ワイヤ１の両導電部材３，５には巻取り機構２１を介して電源供給が成される。また、巻取り機構２１は、従来既知のものであって、内蔵したばねによって常に巻取り方向に付勢力が働くものや、ワイヤ１の引き出し長さを調整し得るストッパを備えたものなどがある。
【００２６】
上記の盗難防止装置は、先の実施例と同様の作用及び効果が得られるうえに、ワイヤ１を本体部２内に巻取ることができるので、運搬時や保管時の収納性が良く、このほか、例えば多くの物品Ａを展示するに際して、個々の物品Ａに当該盗難防止装置を適用した場合には、ワイヤ１の無駄な露出を防止して物品Ａの展示効果を高めることができる。
【００２７】
図４は、本発明に係わる盗難防止装置のさらに他の実施例を説明する図である。なお、先の実施例と同一の構成部位は、同一符号を付して詳細な説明を省略する。この実施例にの盗難防止装置のワイヤ３１は、先端部に連結具７を介して物品Ａを連結すると共に、物品連結側で折り返す一往復の導電部材を内蔵し、往路導電部材及び復路導電部材の少なくとも一方が、切断に対する強化材料で形成してある。
【００２８】
ワイヤ３１は、図４（ａ）（ｂ）に示すように、複数（図示例では７本）の素線束３ａを撚り合わせて成る内側導電部材３と、内側導電部材３を被覆するチューブ状の樹脂製絶縁体４と、樹脂製絶縁体４の外側に添って設けた複数（図示例では５本）の外側導電部材３５ａ〜３５ｅと、外側導電部材３５ａ〜３５ｅを埋設した樹脂部３６と、外側導電部材３５ａ〜３５ｅ及び樹脂部３６を被覆する樹脂製シース６を備えている。
【００２９】
本体部２に内蔵した電気制御回路６０は、図４（ｃ）に示すように、電源１３と、切断検出回路６１と、間欠信号発生回路６２と、警報手段であるブザー１１を含むブザー駆動回路６３を備えている。ワイヤ３１は、内側導電部材３が接地してあると共に、外側導電部材３５ａ〜３５ｅを切断検出回路６１に接続している。
【００３０】
切断検出回路６１において、各外側導電部材３５ａ〜３５ｅは、夫々の抵抗Ｒ１〜Ｒ５を介して電源１３に接続してあると共に、夫々のダイオードＤ１〜Ｄ５のアノード電極（Ａ）に接続してある。この際、抵抗及びダイオードを図示例よりも多く設けておけば、外側導電部材の増加に対応することができる。各ダイオードＤ１〜Ｄ５のカソード電極（Ｃ）は、一端を接地した抵抗Ｒ６と、間欠信号発生回路６２の第１ＮＡＮＤゲートＩＣ１の第１入力Ｐ１に接続してある。
【００３１】
上記の切断検出回路６１は、内側導電部材３及び５本の外側導電部材３５ａ〜３５ｅのうちのいずれかが切断された際、ダイオードＤ１〜Ｄ５のカソード電極（Ｃ）と抵抗Ｒ６との接続点に、電源１３の電圧に近い電圧Ｈ（Ｈｉｇｈ）レベルを発生させる。
【００３２】
間欠信号発生回路６２は、上記の第１ＮＡＮＤゲートＩＣ１と、第２ＮＡＮＤゲートＩＣ２と、第１ＮＡＮＤゲートＩＣ１の出力Ｑ１と第２入力Ｐ２の間に設けた抵抗Ｒ７と、第１ＮＡＮＤゲートＩＣ１の第２入力Ｐ２と第２ＮＡＮＤゲートＩＣ２の出力Ｑ２の間に設けたコンデンサＣと、第１ＮＡＮＤゲートＩＣ１の出力Ｑ１とブザー駆動回路６３のＰＮＰトランジスタＴＲの間に設けた抵抗Ｒを備えている。
【００３３】
ブザー駆動回路６３は、上記のＰＮＰトランジスタＴＲとブザー１１を直列にして電源１３に接続している。ブザー１１は、電源を供給すると、例えば４ｋＨｚの発音を行う回路内蔵の発音体である。
【００３４】
上記の構成を備えた盗難防止装置は、先の実施例と同様に、ワイヤ３１が容易に切断されるのを防止して物品Ａと固定部位との間を連結している。電気制御回路６０では、ワイヤ１に良好に通電が成されているときには、切断検出回路６１からの情報信号がＬ（Ｌｏｗ）レベルであって、第１ＮＡＮＤゲートＩＣ１の第１入力Ｐ１が常にＬレベルであるから、第１ＮＡＮＤゲートＩＣ１の出力Ｑ１がＨレベルに固定され、間欠信号発生回路６２の間欠信号は発生しない。
【００３５】
このとき、第１ＮＡＮＤゲートＩＣ１の出力Ｑ１、及び第２ＮＡＮＤゲートＩＣ２の両入力Ｐ３，Ｐ４はいずれもＨレベルであり、抵抗Ｒ８を通してＰＮＰトランジスタＴＲにベース電流が流れないので、ブザー１１には電源１３が供給されない。
【００３６】
一方、例えば５本の外側導電部材３５ａ〜３５ｅのうちのいずれかが切断され、切断検出回路６１からの情報信号がＬレベルからＨレベルに変化すると、第１ＮＡＮＤゲートＩＣ１は、第２入力Ｐ２の信号レベル状態に応じて出力Ｑ１が変化する。
【００３７】
ここで、第１ＮＡＮＤゲートＩＣ１の出力Ｑ１、及び第２ＮＡＮＤゲートＩＣ２の両入力Ｐ３，Ｐ４がいずれもＨレベルであるときは、第２ＮＡＮＤゲートＩＣ２の出力Ｑ２はＬレベルであるから、第１ＮＡＮＤゲートＩＣ１の出力Ｑ１から抵抗Ｒ７及びコンデンサＣを通して第２ＮＡＮＤゲートＩＣ２の出力Ｑ２側に電流が流れる。このとき、第１ＮＡＮＤゲートＩＣ１は、第１入力Ｐ１への情報信号はＬレベルであるから、その出力Ｑ１をＨレベルに保っている。
【００３８】
また、電流は抵抗Ｒ７とコンデンサＣの時定数により徐々に微小化し、これと同時に抵抗Ｒ７と第１ＮＡＮＤゲートＩＣ１の第２入力Ｐ２との接続点における電圧が上昇し、やがてＨレベルに移行する。
【００３９】
第１ＮＡＮＤゲートＩＣ１の第２入力Ｐ２がＨレベルになると、第１ＮＡＮＤゲートＩＣ１の出力Ｑ１がＬレベルに変化し、同時に第２ＮＡＮＤゲートＩＣ２の出力Ｑ２がＨレベルに変化するので、第２ＮＡＮＤゲートＩＣ２の出力Ｑ２からコンデンサＣと抵抗Ｒ７を通して第１ＮＡＮＤゲートＩＣ１の出力Ｑ１側に電流が流れ、抵抗Ｒ７と第１ＮＡＮＤゲートＩＣ１の第２入力Ｐ２との接続点における電圧が降下してＬレベルに移行する。
【００４０】
このような第１ＮＡＮＤゲートＩＣ１の第２入力Ｐ２に対する入力電圧変化は、コンデンサＣと抵抗Ｒ７の時定数により決定され、例えば１秒間に３〜８回程度繰り返し変化する。
【００４１】
そして、外側導電部材３５ａ〜３５ｅのいずれかの切断に伴って、第１ＮＡＮＤゲートＩＣ１の第１及び第２の入力Ｐ１、Ｐ２がＨレベルになり、第１ＮＡＮＤゲートＩＣ１の出力Ｑ１がＬレベルになると、抵抗Ｒ８を介してＰＮＰトランジスタＴＲにベース電流が流れ、これによりＰＮＰトランジスタＴＲを介してブザー１１に電源が供給されて同ブザー１１が作動する。この際、間欠信号発生回路６２では間欠信号としてＰＮＰトランジスタＴＲに対してベース電流を間欠的に供給し、これを受けたブザー駆動回路６３ではブザー１１が間欠的に作動する。
【００４２】
このように、上記実施例の盗難防止装置は、先の実施例と同様の作用及び効果を得ることができるうえに、ワイヤ３１に複数の外側導電部材３５ａ〜３５ｅを設けると共に、そのうちの１本でも切断されれば警報手段（ブザー１１）を作動させる電気制御回路６０を採用しているので、ワイヤ３１が僅かに傷付けられただけで警報手段を作動させること可能となり、防犯性能がより高められる。
【００４３】
なお、本発明に係わる盗難防止装置は、その構成が上記各実施例に限定されるものではなく、本発明の要旨を逸脱しない範囲で構成を適宜変更することができる。例えば、ワイヤにおいては、往路及び復路の両方の導電部材に強化材料を用いることも可能であり、図示例の如く同軸状の構造にするほか、往路及び復路の導電部材を並設した構造にすることもできる。また、各実施例では、線状のワイヤを示したが、ワイヤ自体をコイル状に成形して伸縮可能にすることもできる。
【００４４】
さらに、上記各実施例では、電気制御回路が外部電源を用いる場合を説明したが、本体部にバッテリーを内蔵したものや、既設のコンセントに接続できるように変圧器やプラグを備えたものとすることができる。また、図１及び図３に示す実施例の電気制御回路に、図４に示す間欠信号発生回路を加えたり、図４に示す実施例の電気制御回路に、図１及び図３に示す警報灯を加えたりすることができる。
【００４５】
そしてさらに、当該盗難防止装置は、例えば一つの本体部に複数のワイヤを接続する構成や、複数の本体部からの出力を集中管理する構成にすることも可能であり、複数の本体部を用いる場合には、個々に警報手段を設けても良いが、一部あるいは全体に共通する警報手段を採用することも可能である。
【図面の簡単な説明】
【００４６】
【図１】本発明の盗難防止装置の一実施例を示す説明図（ａ）、ワイヤの断面図（ｂ）及びワイヤを部分的に破断した側面図（ｃ）である。
【図２】盗難防止装置を説明する斜視図である。
【図３】本発明の盗難防止装置の他の実施例を示す説明図である。
【図４】本発明の盗難防止装置のさらに他の実施例を示すワイヤの部分破断側面図（ａ）、ワイヤの断面図（ｂ）及び装置全体の説明図（ｃ）である。
【符号の説明】
【００４７】
Ａ    物品
Ｆ    固定部位
１    ワイヤ
２    本体部
３    内側導電部材（往路導電部材）
４    絶縁体
５    外側導電部材（復路導電部材）
８    ワイヤ側コネクタ
１０  電気制御回路
１１  ブザー（警報手段：警報音発生装置）
１２  警報灯
１７  本体部側コネクタ
３１  ワイヤ
３５ａ〜３５ｅ  外側導電部材（復路導電部材）
６０  電気制御回路
【図１】
2010020687.tif 000003
【図２】
2010020687.tif 000004
【図３】
2010020687.tif 000005
【図４】
2010020687.tif 000006